【手続補正書】
【提出日】平成16年11月8日(2004.11.8)
【手続補正１】
【補正対象書類名】特許請求の範囲
【補正対象項目名】全文
【補正方法】変更
【補正の内容】
【特許請求の範囲】
【請求項１】
酸化剤を本質的に含まない消毒液の形態である低残留性及び水性の抗菌洗浄組成物であって、
２５℃で水中で約１×１０-2乃至約１×１０-5のイオン定数を有し、乳酸及びグリコール酸からなる群から選択される少なくとも１つの有機カルボン酸を約０．０１乃至約０．４重量％含有し、
ｐＨが２５℃で約２乃至約４であり、更に、アニオン界面活性剤が存在する場合はアニオン界面活性剤を０．３重量％未満、
並びに、ｎ−ブタノール、ベンジルアルコール、フェニルエタノール、Ｒ−Ｏ−ＣＨ2ＣＨ2−ＯＨ（式中、Ｒはｎ−ペンチル、ｎ−ヘキシル、フェニル又はベンジル）、Ｒ′−Ｏ−（ＣＨ2ＣＨ2−Ｏ）2ＯＨ（式中、Ｒ′はｎ−ヘキシル、フェニル又はベンジル）、Ｒ′′−Ｏ−ＣＨ2ＣＨ−（ＣＨ3）ＯＨ（式中、Ｒ′′はｎ−ブチル、ｎ−ペンチル、ｎ−ヘキシル、フェニル又はベンジル）、及びＲ′′−Ｏ−（ＣＨ2ＣＨ−（ＣＨ3）Ｏ）2Ｈ（式中、Ｒ′′はｎ−ブチル、ｎ−ペンチル、ｎ−ヘキシル、フェニル又はベンジル）からなる群から選択される難溶性の一価溶媒を約０．２５乃至約５重量％含有し、前記溶媒の水に対する溶解度が２５℃で約１０重量％未満である、低残留性及び水性の抗菌洗浄組成物。
【請求項２】
２５℃で水中で約１×１０-2乃至約１×１０-5のイオン定数を有する少なくとも１つの有機カルボン酸約０．０１乃至約０．４重量％、
脂肪族アルコール及びグリコールエーテル類からなる群から選択され、２５℃で約１０重量％未満の水に対する溶解度を有する難溶性の一価溶媒を約０．２５乃至約５重量％、及び
分子量が２００原子質量単位未満であり、１，2−アルカンジオール類、1，3−アルカンジオール類、2，3−アルカンジオール類、及び2，4−アルカンジオール類からなる群から選択されるアルカンジオール約０．０５乃至１重量％、
を含有し、
前記少なくとも1つの有機カルボン酸が、クエン酸、乳酸、グリコール酸、リンゴ酸、酢酸、プロパン酸、及びこれらの混合物からなる群から選択され、前記一価溶媒が、Ｒ−Ｏ−ＣＨ2ＣＨ2−ＯＨ（式中、Ｒはｎ−ペンチル、ｎ−ヘキシル、フェニル又はベンジル）、Ｒ′−Ｏ−（ＣＨ2ＣＨ2−Ｏ）2ＯＨ（式中、Ｒ′はｎ−ヘキシル、フェニル又はベンジル）、Ｒ′′−Ｏ−ＣＨ2ＣＨ−（ＣＨ3）ＯＨ（式中、Ｒ′′はｎ−ブチル、ｎ−ペンチル、ｎ−ヘキシル、フェニル又はベンジル）、及びＲ′′−Ｏ−（ＣＨ2ＣＨ−（ＣＨ3）Ｏ）2Ｈ（式中、Ｒ′′はｎ−ブチル、ｎ−ペンチル、ｎ−ヘキシル、フェニル又はベンジル）からなる群から選択されるグリコールエーテルであり、
ｐＨが２５℃で約２乃至約４である、
低残留性及び水性の抗菌洗浄組成物。
【請求項３】
硬質表面の消毒方法であって、
酸化剤を本質的に含まない水性洗浄組成物に前記表面を接触させるステップであって、前記水性洗浄組成物が、２５℃で水中で約１×１０-2乃至約１×１０-5のイオン定数を有する少なくとも１つの有機カルボン酸を約０．０５乃至約０．３重量％含有し、前記酸が乳酸及びグリコール酸からなる群からなる群から選択され、前記組成物のｐＨが２５℃で約２乃至約４であり、前記組成物が、アニオン界面活性剤が存在する場合はアニオン界面活性剤を０．３重量％未満、並びにｎ−ブタノール、ベンジルアルコール、フェニルエタノール、及びグリコールエーテル類からなる群から選択され、ここでグリコールエーテル類は、Ｒ−Ｏ−ＣＨ2ＣＨ2−ＯＨ（式中、Ｒはｎ−ペンチル、ｎ−ヘキシル、フェニル又はベンジル）、Ｒ′−Ｏ−（ＣＨ2ＣＨ2−Ｏ）2ＯＨ（式中、Ｒ′はｎ−ヘキシル、フェニル又はベンジル）、Ｒ′′−Ｏ−ＣＨ2ＣＨ−（ＣＨ3）ＯＨ（式中、Ｒ′′はｎ−ブチル、ｎ−ペンチル、ｎ−ヘキシル、フェニル又はベンジル）、及びＲ′′−Ｏ−（ＣＨ2ＣＨ−（ＣＨ3）Ｏ）2Ｈ（式中、Ｒ′′はｎ−ブチル、ｎ−ペンチル、ｎ−ヘキシル、フェニル又はベンジル）からなる群から選択される、前記難溶性の一価溶媒約０．２５乃至約５重量％を更に含有し、前記溶媒の水に対する溶解度が２５℃で約１０重量％未満である、
前記ステップと、
前記表面を乾燥させるステップと、
を含み、
前記接触ステップと前記乾燥ステップとの間にすすぎステップを設けず、
これにより前記表面が消毒される、
前記方法。
【請求項４】
２５℃で水中で約１×１０-2乃至約１×１０-5のイオン定数を有する少なくとも１つの有機カルボン酸を約０．０５乃至約０．３重量％含有し、
前記少なくとも1つの有機カルボン酸が、クエン酸、乳酸、グリコール酸、リンゴ酸、酢酸、プロパン酸、及びこれらの混合物からなる群から選択され、前記一価溶媒が、Ｒ−Ｏ−ＣＨ2ＣＨ2−ＯＨ、Ｒ′−Ｏ−（ＣＨ2ＣＨ2−Ｏ）2ＯＨ、Ｒ′′−Ｏ−ＣＨ2ＣＨ−（ＣＨ3）ＯＨ、及びＲ′′−Ｏ−（ＣＨ2ＣＨ−（ＣＨ3）Ｏ）2Ｈからなる群から選択されるグリコールエーテルであり、式中、Ｒがｎ−ペンチル、ｎ−ヘキシル、フェニル又はベンジル、Ｒ′′がｎ−ブチル、ｎ−ペンチル、ｎ−ヘキシル、フェニル又はベンジルである、群から選択されるグリコールエーテル類であり、
ｎ−ブタノール、ベンジルアルコール、フェニルエタノール、及びグリコールエーテル類からなる群から選択される難溶性の一価溶媒約０．２５乃至約５重量％含有し、前記溶媒の水に対する溶解度が２５℃で約１０重量％未満であり、
分子量が２００原子質量単位未満であり、１，2−アルカンジオール類、1，3−アルカンジオール類、2，3−アルカンジオール類、及び2，4−アルカンジオール類からなる群から選択されるアルカンジオールを約０．０５乃至１重量％更に含有し、
前記組成物のｐＨが２５℃で約２乃至約４である、
水性洗浄液。
【請求項５】
乳酸０．１７乃至０．２１重量％、
エチレングリコールｎ−ヘキシルエーテル０．６０乃至０．８５重量％、
ジエチレングリコールエチルエーテル０．７５乃至１．３０重量％、
ドデシルベンゼンスルホン酸ナトリウム０．０８乃至０．０９重量％、
イソプロパノール５重量％未満で少なくとも約３．５重量％、及び
ヘキシレングリコール０．２５乃至０．３２５重量％、
を含有し、
ｐＨが２５℃で約２乃至約４である、
水溶液。
【請求項６】
乳酸０．１７乃至０．２１重量％、
エチレングリコールｎ−ヘキシルエーテル０．６０乃至０．７８重量％、
ジエチレングリコールエチルエーテル０．７５乃至１．３０重量％、
ドデシルベンゼンスルホン酸ナトリウム０．０８乃至０．０９重量％、
イソプロパノール５重量％未満で少なくとも約３．５重量％、及び
ヘキシレングリコール０．２５乃至０．３２５重量％、
分子量が２００原子質量単位未満であるアルカンジオール約０．０５乃至１重量％、
を含有し、ｐＨが２５℃で約２乃至約４である液状洗浄組成物で湿潤させた布を含む、
予め湿潤させたタオル。
【請求項７】
布の単位重量当り液体含浸量約１００乃至約５００重量％の液状洗浄剤を含浸させた布基体を含む、予め湿潤させた拭き取り布であって、前記洗浄剤が、
乳酸約０．２１重量％、
エチレングリコールｎ−ヘキシルエーテル約０．８５重量％、
ジエチレングリコールエチルエーテル約０．７５重量％、
イソプロパノール約３．５重量％、
ヘキシレングリコール約０．３０重量％、
ドデシルベンゼンスルホン酸約０．０８重量％、及び
調整水、
を含有する水溶液を含み、
前記組成物のｐＨが２５℃で約２乃至約４である、
予め湿潤させた拭き取り布。